(57)【要約】【課題】本発明は、洗い場付きユニットバスにおける防水パンの効果的な排水構造に係るもので、防水パン上の行き場のない滞留水を、防止パンの縁より溢れさせることなく、排水させようとするものである。【解決手段】洗い場側の防水パンとバスタブが一体に成形されたユニットバスの防水パンとバスタブに夫々排水口を形成し、当該排水口と排水トラップを連結し、当該排水トラップを経由して排水してなる排水構造であって、洗い場を構成する防水パンの周囲の立壁に第三の排水口を備え、当該第三の排水口より伸びる連結管を排水トラップに連結したことを特徴とする防水パンの排水構造。２‥防水パン、３‥バスタブ、８‥第一排水口、９‥排水トラップ、１１‥第二排水口、１３‥防水パンと縦壁の最も低い位置との間に第三排水口。【選択図】  図１
2004176508.tif 000002
【特許請求の範囲】
【請求項１】
洗い場側の防水パンとバスタブが一体に成形されたユニットバスの防水パンとバスタブに夫々排水口を形成し、当該排水口と排水トラップを連結し、当該排水トラップを経由して排水してなる排水構造であって、洗い場を構成する防水パンの周囲の縦壁に第三の排水口を備え、当該第三の排水口より伸びる連結管を排水トラップに連結したことを特徴とする防水パンの排水構造。
【請求項２】
第三の排水口は、防水パンの周囲の縦壁の最も低い位置と防水パン表面との間に備えた請求項１記載の防水パンの排水構造。
【請求項３】
第三の排水口より伸びる連結管を、バスタブ排水口より伸びる連結管に合肢させた請求項１又は２記載の防水パンの排水構造。
【発明の詳細な説明】
【０００１】
【発明の属する技術分野】
本発明は、防水パンの排水構造に関し、特に、洗い場付きユニットバスにおける防水パンの効果的な排水構造に係るものである。
【０００２】
【従来の技術】
従来、バスタブは防水パン上に乗せるタイプ（例えば、特許文献１）と、バスタブが単独で構成されるタイプ（例えば、特許文献２）とに分けられる。
【０００３】
前者のタイプにあって、洗い場側の防水パンとバスタブ側の防水パンとに夫々排水口を備え、水を排水トラップに導くのが通例であり、後者のタイプの場合には、バスタブの底に排水口を設けるものである。しかるに洗い場側の防水パンの排水口にあっては、目皿部が髪の毛等で詰まり、排水能力が低下する可能性がある。そして、洗い場側の防水パンに溜った水は通常最も低いドア下部から漏水する事態ともなる。
【０００４】
しかるに、前者のタイプの場合にあっては、バスタブ側にも防水パンが存在するためにバスタブのエプロン部の隙間を通って洗い場側の溜った水をバスタブ側の防水パンに流し込めば良いこととなっていたが、後者のタイプの場合は、通常は洗い場側の防水パンとバスタブは一体に成形されるものであって、バスタブ側に防水パンが存在せず、このため、洗い場側の防水パンに溜った水は行き場がなく、防水パンの周囲で最も低い位置（通常はドア下部）より漏水してしまうことになる。
【０００５】
【特許文献１】
特開２００１−２４１０７９号公報（図３）
【特許文献２】
特開２００１−１５２５０６号公報（図１）
【０００６】
【発明が解決しようとする課題】
本発明は以上の従来の技術に鑑みてなされたものであり、バスタブ側に防水パンが存在しない後者のタイプの構造におけるユニットバスにあって、洗い場側の防水パンに溜った水を効果的に排水させる排水構造を提供するものである。
【０００７】
【課題を解決しようとする手段】
本発明の要旨は、洗い場側の防水パンとバスタブが一体に成形されたユニットバスの防水パンとバスタブに夫々排水口を形成し、当該排水口と排水トラップを連結し、当該排水トラップを経由して排水してなる排水構造であって、洗い場を構成する防水パンの周囲の縦壁に第三の排水口を備え、当該第三の排水口より伸びる連結管を排水トラップに連結したことを特徴とするものであり、通常は、第三の排水口は、防水パンの周囲の縦壁の最も低い位置と防水パン表面との間に備えるものであり、好ましくは、第三の排水口より伸びる連結管を、バスタブ排水口より伸びる連結管に合肢させた排水構造である。
【０００８】
【発明の実施の形態】
本発明は、従来の手法では対策の立てようがなかった洗い場側防水パンの帯水による漏水を効果的に排水するものであって、防水パン側に予定以上の排水があった場合、第三の排水口より速やかに排水しようとするものである。漏水は特にドア下部より発生することが多く、このため、通常は防水パンの周囲縦壁の最も低い位置（通常はドア下部）と防水パン表面との間に第三の排水口を備え、当該第三の排水口より伸びる連結管を排水トラップに繋げた構造である。尚、近時にあって、バリアフリ−構造を重視する結果、防水パンの周囲の一部（特にドアに対応する部位）には縦壁を設けず、ドア下枠を防水パンに接着する構造のものもあるが、この場合には第三の排水口は防水パン面と下枠の背丈以下の間に備えるものである。そして、第三の排水口より伸びる連結管は、好ましくは、バスタブ排水口より伸びる連結管に合肢させて排水トラップに導く構造である。勿論、第三の排水口より伸びる連結管に逆流防止弁を備えることが好ましい。
【０００９】
【実施例】
以下、本発明の具体例を図面に基づいて詳細に説明する。図１は本発明の排水構造の概念図を示す縦断面図である。ユニットバス１は洗い場側の防水パン２とバスタブ３とよりなり、これらが一体に成形されたものである。防水パン２は通常はその周囲が縦壁４にて形成され、これに横に広がるフランジ５を形成し、部屋を構成する側板やドア６が嵌め込まれる。防水パン２とバスタブ３はエプロン部７にて繋がれている。通常は、ドア６が嵌め込まれる部位が最も縦壁４の背丈が低く構成されている。
【００１０】
排水に関して言えば、防水パン２側には第一の排水口８が形成され、排水トラップ９に連結管１０をもって（場合によっては直接）繋がれている。一方、バスタブ３には第二の排水口１１が形成され、これ又連結管１２にて前記の排水トラップ９に繋がれている。即ち、防水パン２側の排水と、バスタブ３側の排水は別個に排水トラップ９に導かれている。従って、防水パン２側において排水機能が失われた場合には、防水パン２上の水は逃げ場がなく、滞留が続けば、縦壁４の最も背丈の低い部位（ドア嵌め込み部位）より溢れ出すこととなる。
【００１１】
さて、本発明にあっては、防水パン２とその縦壁４の最も低い位置との間に第三の排水口１３を設けるものであって、この第三の排水口１３に接続された連結管１４を排水トラップ９に連結したことを特徴とする防水パンの排水構造を提供するものである。そして、好ましくは連結管１４は連結管１２と合肢されて排水トラップ９に連結されるものである。
【００１２】
図２は排水トラップ９近傍の断面図を示すものであり、防水パン２における第一の排水口８に、外部への排水口１５を備えた排水トラップ９が直接配置された例である。かかる排水トラップ９は主として排水の逆流を防止し、防臭機能をもたらすものである。防臭機能について言えば、一般の構造は筒形のトラップ本体９ａと、このトラップ本体９ａ内に嵌装された防臭パイプ９ｂとよりなっており、トラップ本体９ａ内及び防臭パイプ９ｂ内に常に水が滞留している構造となっていて、排水管からの臭いをここで遮断する構造となっている。
【００１３】
さて、バスタブ３における第二の排水口１１と排水トラップ９の間はこの例ではエルボ型連結管１２にて接続される。かかる第二の排水口１１、連結管１２の先端或いはこれが接続される排水トラップ９には逆止弁１６が備えられ、排水の逆流を阻止している。第三の排水口１３について言えば、エルボ型連結管１４が接続され、更にこれが連結管１２と合肢されたもので、第三の排水口１３或いはエルボ型連結管１４に逆止弁１７を備えておくのがよい。
【００１４】
図３はバリアフリ−タイプの排水構造の概念図を示す縦断面図である。この場合、防水パン２のドア側の立ち上がり部は実質的になく、ドアの下枠６ａが防水パン２上に接着されるケ−スもある。この下枠６ａは高さが２０ｍｍ程度であり、防水パン２上に滞留が続けばこの部位より溢れ出すことになる。
【００１５】
従って、第三の排水口１３は洗い場を構成する防水パン２の面と下枠６ａの背丈以下の範囲で縦壁４に備えることになる。
【００１６】
【発明の効果】
本発明は以上のような構成であって、第一の排水口が詰まってしまえば、行き場のない滞留水を、防止パンの縁より溢れさせることなく、排水させようとするものであり、漏水によるこの種の事故もなくなり、この面でのメンテナンスも極く容易となったものであり、その利用価値は高い。
【図面の簡単な説明】
【図１】図１は本発明の排水構造の概念図を示す縦断面図である。
【図２】図２は排水トラップ近傍の断面図を示すものである。
【図３】図３は本発明の排水構造の別例の概念図を示す縦断面図である。
【符号の説明】
１‥ユニットバス、
２‥防水パン、
３‥バスタブ、
４‥防水パンの縦壁、
５‥横に広がるフランジ、
６‥ドア、
６ａ‥ドアの下枠、
７‥エプロン部、
８‥防水パン側の第一の排水口、
９‥排水トラップ、
９ａ‥筒形のトラップ本体、
９ｂ‥防臭パイプ、
１０‥連結管、
１１‥バスタブの第二の排水口、
１２‥連結管、
１３‥防水パンと縦壁に備えた第三の排水口、
１４‥連結管、
１５‥排水トラップの外部への排水口、
１６、１７‥逆止弁。
【図１】
2004176508.tif 000003
【図２】
2004176508.tif 000004
【図３】
2004176508.tif 000005